(57)【要約】【課題】通電効率を高め、刺激感を緩和し、感染症の危険性も最小限に抑えることができる微弱電流治療器を提供する。【解決手段】人体の患部へ接触する表面を凸曲面状または平面状に形成した導電性の単電極体１を設け、該単電極体１表面に、複数の溝５を放射状もしくは縦横格子状に刻設し、各溝５同士の交差位置にできる鋭角状もしくは直角状の複数の交差外縁部６によって、人の患部への電気的刺激を緩和する通電ポイントを形成し、また交差外縁部６は、単電極体１表面のレベルから突出しないように形成する。【選択図】図１
0003160785.tif 000002
【実用新案登録請求の範囲】
【請求項１】
人体の患部へ接触させる表面を凸曲面状または平面状に形成した導電性の単電極体を設け、該単電極体表面に、複数の溝を放射状もしくは縦横格子状に刻設し、該各溝同士の交差位置にできる鋭角状もしくは直角状の複数の交差外縁部によって、人の患部への電気的刺激を緩和させる通電ポイントを形成したものであって、前記交差外縁部は、単電極体表面のレベルから突出しないように形成したことを特徴とする微弱電流治療器。
【請求項２】
溝は、その幅・深さが共に０．１〜５ｍｍ程度の大きさを有する請求項１記載の微弱電流治療器。
【請求項３】
単電極体の通電は、８００μＡ以下の微弱電流を使用する請求項１または２記載の微弱電流治療器。
【考案の詳細な説明】
【技術分野】
【０００１】
本考案は、例えば首痛、背中痛、腰痛等、人体に発生する種々な疼痛治療用器具として使用する単電極導子式の微弱電流治療器に関する。
【背景技術】
【０００２】
従来、導電性の電極から、電圧１〜４０Ｖで、電流１ｍＡ〜５０ｍＡ程度の低周波電流を人体の患部に流すことで刺激を与えて治療する様々な低周波治療器が知られている。このような低周波治療器を用いる場合、人間の皮膚は約４ｋΩと電気抵抗が高く、乾燥した導電性電極を皮膚に接触させただけでは通電しない。
【０００３】
このため、従来では、例えば、（１）電極表面にスポンジで水もしくは導電性のジェルを塗布したり、（２）電圧を高くしたり、（３）電極表面に鋭角突起を設けたりする等の様々な処置が採られている。
【０００４】
また、従来の微弱電流療法においては、８００μＡ以下の弱い電流を人体に通流して治療するのであるが、湿式の電極である場合は、このような８００μＡという微弱電流では刺激感が全くなく、刺激感を与えるためには乾式の電極を用いる必要がある。
【先行技術文献】
【特許文献】
【０００５】
【特許文献１】特になし
【考案の概要】
【考案が解決しようとする課題】
【０００６】
しかしながら、上記(１)の処置では、乾いてしまえば効果が挙がらないことから、均一な治療成果が得られず、しばしば水やジェル等の塗布が必要となり、作業性が低下する。
【０００７】
上記(２)の処置では、患者の受ける刺激が強くなりすぎ、恐怖感、不快感等を与える問題がある。
【０００８】
上記(３)の処置では、不快な疼痛感がある上に、皮膚に傷を付けることがあり、感染症等を引き起こす危険性がある。
【０００９】
そこで、本考案は、叙上のような従来存した諸事情に鑑み案出されたもので、通電効率を高め、刺激感を緩和させ、感染症の危険性も最小限に抑えることができる微弱電流治療器を提供することを目的とする。
【課題を解決するための手段】
【００１０】
上述した課題を解決するため、本考案にあっては、人体の患部へ接触させる表面を凸曲面状または平面状に形成した導電性の単電極体を設け、該単電極体表面に、複数の溝を放射状もしくは縦横格子状に刻設し、該各溝同士の交差位置にできる鋭角状もしくは直角状の複数の交差外縁部によって、人の患部への電気的刺激を緩和させる通電ポイントを形成したものであって、前記交差外縁部は、単電極体表面のレベルから突出しないように形成したことを特徴とする。
【００１１】
溝は、その幅・深さが共に０．１〜５ｍｍ程度の大きさを有する。
【００１２】
単電極体の通電は、８００μＡ以下の微弱電流を使用する。
【考案の効果】
【００１３】
本考案によれば、通電効率を高め、刺激感を緩和させ、感染症の危険性も最小限に抑えることができる。
【００１４】
また、交差外縁部は、単電極体表面のレベルから突出しないように形成したので、皮膚に対して交差外縁部が食い込んで傷付けることがなく、感染症の危険性を最小限に抑えることができる。
【００１５】
そして、溝は、その幅・深さが共に０．１〜５ｍｍ程度の大きさを有するので、交差外縁部からの通電効率を十分に高めることができ、しかも交差させる溝の本数の２倍の鋭角部分、すなわち交差外縁部が形成されることから、多数の通電ポイントを単電極体表面に効率的に設けることができる。
【００１６】
さらに、単電極体の通電は、８００μＡ以下の微弱電流を使用するので、乾式の単電極体を用いることで、微弱電流療法による治療効果を十分に発揮させることができる。
【図面の簡単な説明】
【００１７】
【図１】本考案を実施するための最良の形態における微弱電流治療器の断面図である。
【図２】同じく微弱電流治療器の単電極体の一例を示し、（ａ）は正面図、（ｂ）は（ａ）のＸ−Ｘ断面図である。
【図３】他の例における微弱電流治療器の側面図である。
【考案を実施するための形態】
【００１８】
以下、図面を参照して本考案を実施するための最良の一形態を説明する。
【００１９】
本考案に係る微弱電流治療器は、例えば８００μＡ以下の微弱電流を通電可能とした導電性の材料、例えば鉄、銅、ステンレス、アルミニウム等の導電金属からなる乾式の単電極体１を、例えばプラスチック製の把持部２の先端に備えている。この単電極体１は、プラスチック製の把持部２の中心部にステンレスパイプ製の内部導体３を装着し、この内部導体３の後端を把持部２の末端から開口３ａさせてある。そして、この開口３ａにプラグ付きコード４のプラグピン４ａを差し込むことによって不図示の電源に接続可能となっている。
【００２０】
図１に示すように、この単電極体１は、平面内もしくは周縁部のみが皮膚に強く当たることで、周縁部からだけの通電にならないようにするために、皮膚に対する接触面が滑らかな凸曲面状として、例えば球面状に加工形成され且つ表面には、複数の溝５を放射状に刻設してある。ちなみに、この単電極体１の表面を平面状に形成してもよい。
【００２１】
そして、図２（ａ）に示すように、各溝５同士の交差位置には、交差する全ての溝５の２倍の数の交差外縁部６が形成され、これによって、人の患部への電気的刺激を緩和可能とした通電ポイントが形成される。
【００２２】
また、上記交差外縁部６は、図２（ｂ）に示すように、その先端部分が鋭角状に形成され、且つ単電極体１の表面レベルと略同一か、あるいは表面レベルから突出することがないように形成される。この交差外縁部６の先端部分の高さは、皮膚に対する単電極体１の接触時に、皮膚表面がその柔軟性により追従するため、単電極体１の接触面レベルより僅かに低い程度に設定するのが望ましい。
【００２３】
図３には、単電極体１の他の例が示されている。
尚、前記した形態における構成と同じ部分には同じ符号を付すことでその説明を省略する。
【００２４】
すなわち、この単電極体１は、導電性ゴムからなり、皮膚に対する接触面が滑らかな平面状として形成され且つ表面には、複数の溝５を縦横格子状に刻設してある。
【００２５】
そして、各溝５の交差位置には、交差する２つの溝５の２倍である４つの交差外縁部６が形成され、これによって、人の患部への電気的刺激を緩和可能とした通電ポイントが形成される。
【００２６】
また、上記交差外縁部６は、溝５が十文字状に交差することから、その先端部分が直角状に形成され、且つ単電極体１の表面レベルと略同一か、あるいは表面レベルから突出することがないように形成される。
【００２７】
さらに、前記構成と同様に、この交差外縁部６の先端部分の高さは、皮膚に対する単電極体１の接触時に、皮膚表面がその柔軟性により追従するため、単電極体１の接触面レベルより僅かに低い程度に設定するのが望ましい。
【００２８】
尚、上記した形態において、単電極体１の表面に、人体の患部に刺激を与える交差外縁部６が、単電極体１表面のレベルから突出しないように形成されるものであれば、溝５の表面形状は特に限定されるものではない。図中４は前記した実施形態と同じプラグ付きコードを示す。
【００２９】
次に、以上のように構成された最良の形態についての使用、動作の一例について説明する。
【００３０】
把持部２を持って乾式の単電極体１を人体の患部に押し付け接触させた状態で、単電極体１に８００μＡ以下の微弱電流を通電する。この電流は皮膚を通して患部に電気刺激となって与えられる。これにより、例えば首痛、背中痛、腰痛等の各種の治療が施される。
【００３１】
この治療中、交差外縁部６により形成された通電ポイントによって、人の患部への電気的刺激が緩和される。また、皮膚表面に交差外縁部６を押し付けた際に、当該交差外縁部６は、単電極体１表面のレベルから突出しないように形成されているため、当該交差外縁部６が皮膚に食い込み傷付けることがない。
【符号の説明】
【００３２】
１    単電極体
２    把持部
３    内部導体
３ａ  開口
４    プラグ付きコード
４ａ  プラグピン
５    溝
６    交差外縁部（通電ポイント）
【図１】
0003160785.tif 000003
【図２】
0003160785.tif 000004
【図３】
0003160785.tif 000005